(57)【要約】      （修正有）【課題】硬直した遺体に対しても浴衣と経帷子からなる仏衣を容易に着付けることができ、着付けた後の見栄えも容易に整えることができる仏衣を提供する。【解決手段】浴衣と経帷子３と、浴衣地の装飾衿４とからなる袖付きの和装の仏衣であって、経帷子は浴衣の上から一体的に縫製されており、浴衣地の装飾衿は経帷子の衿の端部から外部へはみ出るように配置されており、そして仏衣の前面１０は閉じられ、かつ仏衣の背面は背中の中心線に沿って左右に分離できるように完全に開かれており、そして少なくとも仏衣の後ろ衿部に分離された衿５を連結するための接続手段を設けることより、遺体の前面側から背面側へ廻すように着脱可能に構成されている仏衣を提供する。【選択図】図１
0003140511.tif 000002
【実用新案登録請求の範囲】
【請求項１】
浴衣と経帷子と、前記浴衣地の装飾衿とからなる袖付きの和装の仏衣であって、
前記経帷子は、浴衣の上から一体的に縫製されており、
前記浴衣地の装飾衿は、経帷子の衿の端部から外部へはみ出るように配置されており、そして
前記仏衣の前面は閉じられ、かつ前記仏衣の背面は背中の中心線に沿って左右に分離できるように完全に開かれており、そして少なくとも前記仏衣の後ろ衿部に分離された衿を連結するための接続手段を設けることより、遺体の前面側から背面側へ廻すように着脱可能に構成されていることを特徴とする前記仏衣。
【請求項２】
前記仏衣の表面には、背面で背中の中心線に沿って左右に分離できるように開かれた帯が一体的に配置されていることを特徴とする請求項１に記載の仏衣。
【考案の詳細な説明】
【技術分野】
【０００１】
本考案は、臨終の儀式において遺体に着付ける仏衣に関し、特に遺体への仏衣を着付け容易にするために浴衣と経帷子が一体的に縫製されており、かつ仏衣の背面が背中の中心線に沿って左右に分離できるように完全に開かれている背割れの和装の仏衣に関する。
【背景技術】
【０００２】
従来より、葬儀において弔問客の目の前にも遺体の姿が見苦しくなく、最後の姿が少しでも美しく見えるようにするために、遺体の清めが終了したらその遺体の姿を整えるのが一般的である。このため、仏教の世界においては遺体に僧尼の旅立ちの姿に似せるようにした仏衣が着付けられる。この仏衣は経帷子と称される白い木綿の着物からなり、手足には手甲と脚絆を付け、白足袋にわらじを履かせる。また、形式的に紙製の経帷子を掛けることもある。また、さらに遺体には、清潔な浴衣や故人が生前愛用した服を着付ける場合もある。
【０００３】
ところが、遺体に対して着物の形をした仏衣を着付けようとする場合は、遺体が硬直しているために手や腕に仏衣の袖を通すことは大変な作業であるという問題を有していた。特に、遺体の体重が重いときは、数人掛かりで仏衣を着付ける必要があり、また、前合わせ部分が見苦しい時などもそれを直すのに手間が掛かるという問題を有していた。
【０００４】
このような問題を解決するために、特許文献１，２，３に開示されるように前面の衿部および前身頃を縫い合わせ、かつ背面の後身頃を半割れ構造とすることで、遺体の前面側から背面側へ廻すように着付けることができるようにした仏衣や、特許文献４に開示されるように仏衣を左右対称に２分割とすることにより、遺体の右側および左側から独立して着付け、そして後で分割部分を接合することができるようにした仏衣が考案されている。
【０００５】
しかしながら、これらの仏衣は実質的に１枚の経帷子や１着のドレスから構成されるものであり、先述のように遺体に清潔な浴衣を着付けるような場合は、依然として硬直した遺体に浴衣の袖などを通す大変な作業を必要としていた。
【０００６】
また、特に浴衣の上に上述したような背割れ等の改良が施された仏衣を着付ける場合は、浴衣の衿と経帷子の衿を見苦しくないように整えることが極めて困難であるという問題も有していた。
【０００７】
【特許文献１】実開Ｈ２−７８５０３号公報
【特許文献２】特開Ｈ２−７８５０７号公報
【特許文献３】実登第３０５９０７７号公報
【特許文献４】特開２００１−３４８７０６号公報
【考案の開示】
【考案が解決しようとする課題】
【０００８】
本考案は、かかる問題点を解決するために創出されたものである。すなわち、本考案の目的は、死後硬直した遺体に対しても浴衣と経帷子からなる仏衣を容易に着付けることができると共に、着付けた後のその見栄えも容易に整えることができる和装の仏衣を提供することにある。
【課題を解決するための手段】
【０００９】
そこで、本考案者は背割れタイプの仏衣について鋭意検討を重ねた結果、浴衣と経帷子と、前記浴衣地の装飾衿とからなる袖付きの和装の仏衣であって、前記経帷子は浴衣の上から一体的に縫製されており、前記浴衣地の装飾衿は経帷子の衿の端部から外部へはみ出るように配置されており、そして前記仏衣の前面は閉じられ、かつ前記仏衣の背面は背中の中心線に沿って左右に分離できるように完全に開かれており、そして少なくとも前記仏衣の後ろ衿部に分離された衿を連結するための接続手段を設けることより、遺体の前面側から背面側へ廻すように着脱可能に構成されていることを特徴とする前記仏衣を考案し完成させるに至った。
【００１０】
また、仏衣に帯び止めを施した体裁を望む場合は、背面で背中の中心線に沿って左右に分離できるように開かれた帯が仏衣の表面に一体的に配置されている仏衣を使用することができる。
【００１１】
本考案によれば、浴衣と経帷子があたかも２枚重ね着をしたかのように一体的に縫製されているため仏衣の着付けは１度の作業で終わらせることができ、浴衣と経帷子に分けて着付けなければならないといった従来の２度手間を省くことができる。
【００１２】
また、浴衣と経帷子からなる本考案の仏衣は、その前面が閉じられており、かつその背面は背中の中心線に沿って左右に分離できるように完全に開かれているため、仏衣を、すなわち浴衣と経帷子を同時に遺体の前面側から背面側へ廻すようにして容易に着付けることができる。なお、仏衣の背面に設けられた背割れ部は遺体を正面から見た時に背後に隠れる位置に配置すればよく、必ずしも背中の中心線に沿って設けられている必要はない。
【００１３】
さらに本考案によれば、仏衣の衿には、経帷子の衿の端部から外部へはみ出るように浴衣地の装飾衿が配置されており、かつ仏衣の後ろ衿部には分離された衿を連結するための接続手段が設けられているため、仏衣を遺体に着付けた後、前記接続手段を首の後ろで連結するだけで仏衣の衿元を見苦しくないように容易に整えることができる。
【００１４】
ここで、衿の接続手段には、例えば面ファスナーやフックなど分離された衿を互いに繋ぎ合わせることができる公知の接続部材や接着部品を用いることができる。また、接続手段の配置は、仏衣の背面に設けられた背割れ部に沿って開かれた仏衣を互いに繋ぎ合わせることができる位置であれば特に数量などに限定されることなく配置することができ、着付けた後の仏衣の衿元を綺麗に整えるためには少なくとも仏衣の後ろ衿部に配置されていることが好ましい。
【考案の効果】
【００１５】
本考案によれば、浴衣と経帷子が一体的に縫製された仏衣の前面が閉じられており、かつその背面は背中の中心線に沿って左右に分離できるように完全に開かれているため、１度の着付け作業で仏衣を、すなわち浴衣と経帷子を同時に遺体の前面側から背面側へ廻すようにして容易に着付けることができる。
【００１６】
また、本考案によれば、仏衣の衿には浴衣地の装飾衿が配置されており、かつ仏衣の後ろ衿部には分離された衿を連結するための接続手段が設けられているため、仏衣を遺体に着付けた後、前記接続手段を首の後ろで連結するだけで仏衣の衿元を見苦しくないように容易に整えることができる。
【考案を実施するための最良の形態】
【００１７】
以下、本考案を実施例により説明する。なお、本考案は以下に示される実施例に限定されるものではなく、本考案の技術的思想を逸脱しない範囲内で各種の変更が可能である。
【実施例】
【００１８】
図１は、本考案による浴衣２および経帷子３からなる背割れ仏衣１の正面図である。また、図２は図１に示される浴衣２および経帷子３からなる背割れ仏衣１の背面図であり、図３は図１に示される背割れ仏衣１の衿元部分の拡大図である。
【００１９】
図４〜７に示されるのは、本考案による浴衣２および経帷子３からなる背割れ仏衣１の１実施形態にかかる実物の写真である。図４は背割れ仏衣１の正面写真、図５は背割れを閉じた状態での仏衣１の背面写真、図６は背割れを開いた状態での仏衣１の背面写真および図７は図４に示される背割れ仏衣１の衿元部分の拡大写真である。
【００２０】
図１および４を参照して理解されるように、本考案による袖付きの仏衣１は、浴衣２と経帷子３、および前記浴衣地の装飾衿４とから構成され、経帷子３は、浴衣２の上から一体的に縫製されている（図６参照）。また、仏衣１の前面１０は縫製等により閉じられており、衿５を開くことができない。また、仏衣１の前面１０には結び目６０を有する帯６が配置されているが、この帯６も仏衣１の表面に一体的に縫製されており結び目６０を解いて開くことができない構造となっている。
【００２１】
このため、本考案によれば浴衣２と経帷子３があたかも２枚重ね着をしたかのように一体的に縫製されている仏衣１の着付け作業を１度で終わらせることができ、浴衣と経帷子に分けて着付けなければならないといった従来の２度手間を省くことができる。
【００２２】
図２および５，６を参照して理解されるように、本考案による袖付きの仏衣１の背面２０には背中の中心線に沿って左右に分離できるように背割れ部７が設けられている。また、仏衣１の背面２０には前面１０から延びた帯６が配置されているが、この帯６にも背割れ部７’が設けられて仏衣１の表面に一体的に縫製されており、仏衣１と同様に背中の中心線に沿って左右に分離することができる構造となっている。
【００２３】
このため、本考案によれば、仏衣１を、すなわち浴衣２と経帷子３を同時に遺体の前面側から背面側へ廻すようにして容易に着付けることができる。なお、仏衣１の背面２０に設けられた背割れ部７は遺体を正面から見た時に背後に隠れる位置に配置すればよく、必ずしも背中の中心線に沿って設ける必要はない。
【００２４】
図３および７を参照して理解されるように、本考案による袖付きの仏衣１の衿５には経帷子３の衿の端部から外部へはみ出るように浴衣地の装飾衿４が配置されており、かつ仏衣１の後ろ衿部には分離された衿５を連結するための接続手段８、すなわち本実施例においては面ファスナー８が設けられている。
【００２５】
これにより、本考案による仏衣１を遺体に着付けた後は、面ファスナー８を首の後ろで連結するだけで仏衣の衿元を容易に整えることができる。
【００２６】
図８（ａ）〜（ｉ）は、本考案による袖付きの背割れ仏衣１を人体に着付ける際の手順を写真で示している。
【００２７】
本考案による背割れ仏衣１を着付ける手順は、先ず、仏衣１の背面を背割れ部７から開いて、人体の正面から掛ける（図８（ａ）参照）。従来の仏衣では遺体の下に浴衣および経帷子を敷くために遺体を大きく傾けたり移動したりしなければならなかったが、本考案によればこれらの作業は一切排除される。
【００２８】
仏衣１を掛けた後、仏衣１の袖９に人体の片手および片腕を通す（図８（ｂ）参照）。従来の仏衣では、袖を通す際に硬直した遺体の肘を大きく曲げる必要があったが、本考案によれば肘を大きく曲げる必要はなくなり、死後硬直した状態であっても容易に仏衣１を着付けることができる。
【００２９】
仏衣１の袖９に人体の片手および片腕を通した後、人体の腕等を通した側を少し傾け、腕等を通した側の背割れ部７を人体の背中と床面との間に形成された隙間に挟み込み、そして人体を正置させる（図８（ｃ），（ｄ）参照）。
【００３０】
仏衣１の片側の着付けが完了した後、上記と同様の手順で残りの片方の袖９’に人体の腕等を通し、人体を少し傾けた後、腕等を通した側の背割れ部７を人体の背中と床面との間に形成された隙間に挟み込む（図８（ｅ）参照）。
【００３１】
仏衣１の両袖９，９’に人体の手および腕を通した後、仏衣１の衿元を整える。この時、本考案による背割れ仏衣１の衿５の裏には浴衣地と同じ装飾衿４が施されているため、仏衣１の衿元を見苦しくないように容易に整えることができる（図８（ｆ）参照）。
【００３２】
仏衣１の衿元を整えた後、人体を少し傾け、仏衣１の後ろ衿５の半割れ部７に設けられている面ファスナー８を接続し、開いている衿５を閉じる（図８（ｇ）参照）。さらに面ファスナー等が半割れ部７に沿って取り付けられている場合は、半割れ部７，７’を足元に向かって人体の下へ挟み込んで閉じてゆく。この時、本考案によれば、浴衣２と経帷子３が一体的に縫製されている効果および衿元に装飾衿４が施されている効果により、仏衣１を着付けた後、前面から見た場合の見栄えがシワや衿のズレなどによって損なわれることがない。
【００３３】
仏衣１を人体に着付けた後、仏衣１の前面より全体の乱れを整えてから予め仏衣１に縫い付けられている帯６を縦に結び、本考案による背割れ仏衣１の着付け作業をすべて終了することができる（図８（ｈ）参照）。
【００３４】
以上の結果、本考案によれば、死後硬直した遺体に対しても浴衣と経帷子からなる仏衣を容易に着付けることができると共に、着付けた後のその見栄えも容易に整えることができる和装の仏衣を提供することができる。
【図面の簡単な説明】
【００３５】
【図１】本考案の背割れ仏衣の正面図である。
【図２】本考案の背割れ仏衣の背面図である。
【図３】図１に示される背割れ仏衣の衿元部分の拡大図である。
【図４】本考案の１実施形態にかかる背割れ仏衣の正面写真である。
【図５】図４に示される仏衣の背割れを閉じた状態の背面写真である。
【図６】図４に示される仏衣の背割れを開いた状態の背面写真である
【図７】図４に示される背割れ仏衣の衿元部分の拡大写真である。
【図８】本考案の背割れ仏衣を人体に着付ける手順を示した写真である。
【符号の説明】
【００３６】
１・・・・・・袖付き背割れ仏衣
２・・・・・・浴衣
３・・・・・・経帷子
４・・・・・・装飾衿
５・・・・・・衿
６・・・・・・帯
７，７’・・・半割れ部
８・・・・・・面ファスナー
９，９’・・・袖
１０・・・・・前面
２０・・・・・背面
６０・・・・・結び目
【図１】
0003140511.tif 000003
【図２】
0003140511.tif 000004
【図３】
0003140511.tif 000005
【図４】
0003140511.tif 000006
【図５】
0003140511.tif 000007
【図６】
0003140511.tif 000008
【図７】
0003140511.tif 000009
【図８】
0003140511.tif 000010